(57)【要約】【課題】  指先のファッション性を向上せしめるとともに着用者の指先の血流を促進する付け爪の提供。【解決手段】  湾曲した薄板形状の付け爪本体と、該付け爪本体の面のうち、人体の爪に対向する第１面の少なくとも一部を被覆する粘着剤層からなり、該粘着剤層が、遠赤外線放射粉末を含有することを特徴とする付け爪である。【選択図】  図１
2008272380.tif 000002
【特許請求の範囲】
【請求項１】
湾曲した薄板形状の付け爪本体と、
該付け爪本体の面のうち、人体の爪に対向する第１面の少なくとも一部を被覆する粘着剤層からなり、
該粘着剤層が、遠赤外線を放射する無機粉末を含有することを特徴とする付け爪。
【請求項２】
前記粘着剤層が、人体の爪に直接接触する第１層と、
該第１層と前記第１面との間に配される第２層からなり、
前記無機粉末が、前記第２層に含有されることを特徴とする請求項１記載の付け爪。
【請求項３】
前記第２層が、感熱性粘着剤からなり、
人体からの熱伝達により、前記第２層の温度が上昇し、人体の体温に近づくにつれて、前記第２層の粘着力が増加することを特徴とする請求項２記載の付け爪。
【請求項４】
前記粘着剤層が、人体の爪に直接接触する第３層と、
該第３層と前記第１面との間に配される第４層からなり、
該第４層が、感熱性接着剤からなり、
人体からの熱伝達により、前記第４層の温度が上昇し、人体の体温が近づくにつれて、前記第４層のタック力が増加することを特徴とする請求項１記載の付け爪。
【請求項５】
前記無機粉末が、白炭、貝殻焼成カルシウム、トルマリン、Al2O3、SiO2、MgO、ZrO2、3Al2O3・2SiO2、ZrO2・SiO2、2MgO・2Al2O3・5SiO2からなる群から選択される材料からなることを特徴とする請求項１記載の付け爪。
【請求項６】
前記第４層が、酸化カルシウムを含有することを特徴とする請求項４記載の付け爪。
【請求項７】
前記第４層が、酸化鉄を含有することを特徴とする請求項４記載の付け爪。
【請求項８】
前記第３層と前記第４層の境界に酸化カルシウムが配されることを特徴とする請求項４記載の付け爪。
【請求項９】
前記粘着剤層に凹部が形成され、該凹部の壁面に前記酸化カルシウムが現れることを特徴とする請求項８記載の付け爪。
【請求項１０】
前記付け爪本体が金属からなることを特徴とする請求項９記載の付け爪。
【請求項１１】
前記付け爪本体が、透明又は半透明の樹脂から形成され、
前記第１面の反対側の第２面上に装飾層が設けられ、
該装飾層が、少なくとも前記凹部上に配されるとともに該凹部を隠すことを特徴とする請求項９記載の付け爪。
【請求項１２】
前記第２層が、前記第１層よりも厚く形成されることを特徴とする請求項２記載の付け爪。
【請求項１３】
前記第１面のうち、少なくとも該第１面幅方向中心位置に、人体の指軸方向に延設する少なくとも１つの突条部が形成されることを特徴とする請求項１２記載の付け爪。
【請求項１４】
前記第１面のうち、少なくとも人体の指軸方向中心位置に、前記付け爪本体幅方向に延設する少なくとも１つの突条部が形成されることを特徴とする請求項１２記載の付け爪。
【請求項１５】
前記粘着剤層に香料が含有されることを特徴とする請求項１記載の付け爪
【請求項１６】
前記付け爪本体の前記第１面のうち少なくとも一部を被覆する塗装層を更に備え、
該塗装層に香料が含有されることを特徴とする請求項１記載の付け爪。
【請求項１７】
前記付け爪本体の前記第１面の反対側の第２面のうち少なくとも一部を被覆する塗装層を更に備え、
該塗装層に香料が含有されることを特徴とする請求項１記載の付け爪。
【請求項１８】
前記装飾層が香料を含有することを特徴とする請求項１１記載の付け爪。
【発明の詳細な説明】
【技術分野】
【０００１】
本発明は、付け爪に関し、より詳しくは、人体の指末端部の血流を促進し、保温機能を促す付け爪に関する。
【背景技術】
【０００２】
近年の空調設備の普及により、多くの屋内施設・屋内設備において、屋内温度が一定に保たれる環境が増えてきている。この結果、屋内環境と屋外環境との間の急激な温度変化に曝される機会が増大している。このことは、現代人の皮膚に存する温度を感じ取る神経機能の低下をもたらしているといわれている。
更には、季節を問わず、冷たい飲料を摂取する食生活に起因して、現代人の内臓内の温度調節機能は低下しているといわれている。
これらの生活環境・食環境は、ときとして、自律神経の働きを低下させることがある。自律神経の働きの低下に起因して、指先などの末端の血管の拡張・収縮機能が衰え、末端冷え性の症状が現れる。
【０００３】
手袋等の衣類を着用することにより、冷え性の症状を緩和する手法は多くの場合で採用される。特許文献１は、血流を促進する効能を発揮する手袋を開示する。
特許文献１の手袋は、手袋を構成する繊維材に遠赤外線を発生する物質が練り込まれ、これにより、手袋の着用者の血行を改善するものである。
【０００４】
【特許文献１】実用新案登録第３０９６０２１号公報
【発明の開示】
【発明が解決しようとする課題】
【０００５】
手袋等の衣類を着用する手法は、手袋を着用することがふさわしくない場面での使用が制限されるという点で欠点を有する。
このような場面として、例えば、アルコール類の提供を主とする接客業の場面が挙げられる。このような接客業においては、ネイルアート等に代表されるように、指先に至るまでのファッション性が重視される。特許文献１に開示されるような手袋を使用した場合には、接客業に要求されるファッション性が大きく損なわれるものとなる。
【０００６】
また、このような接客業は、飲料の提供に際して、氷を取扱うことも多い。結果として、指先の毛細血管は収縮し、指先の血流は大きく阻害されることとなり、冷え性の症状を顕著にする。
【０００７】
本発明は、上記実情を鑑みてなされたものであり、指先のファッション性を向上せしめるとともに着用者の指先の血流を促進する付け爪を提供することを目的とする。更に、本発明は、装着が容易であるとともに剥がれにくい付け爪を提供することを目的とする。加えて、本発明は、付け爪商品陳列時に付け爪の装着性が劣化しない付け爪を提供することを目的とする。
【課題を解決するための手段】
【０００８】
請求項１記載の発明は、湾曲した薄板形状の付け爪本体と、該付け爪本体の面のうち、人体の爪に対向する第１面の少なくとも一部を被覆する粘着剤層からなり、該粘着剤層が、遠赤外線を放射する無機粉末を含有することを特徴とする付け爪である。
【０００９】
請求項２記載の発明は、前記粘着剤層が、人体の爪に直接接触する第１層と、該第１層と前記第１面との間に配される第２層からなり、前記無機粉末が、前記第２層に含有されることを特徴とする請求項１記載の付け爪である。
請求項３記載の発明は、前記第２層が、感熱性粘着剤からなり、人体からの熱伝達により、前記第２層の温度が上昇し、人体の体温に近づくにつれて、前記第２層の粘着力が増加することを特徴とする請求項２記載の付け爪である。
【００１０】
請求項４記載の発明は、前記粘着剤層が、人体の爪に直接接触する第３層と、該第３層と前記第１面との間に配される第４層からなり、該第４層が、感熱性接着剤からなり、人体からの熱伝達により、前記第４層の温度が上昇し、人体の体温が近づくにつれて、前記第４層のタック力が増加することを特徴とする請求項１記載の付け爪である。
請求項５記載の発明は、前記無機粉末が、白炭、貝殻焼成カルシウム、トルマリン、Al2O3、SiO2、MgO、ZrO2、3Al2O3・2SiO2、ZrO2・SiO2、2MgO・2Al2O3・5SiO2からなる群から選択される材料からなることを特徴とする請求項１記載の付け爪である。
請求項６記載の発明は、前記第４層が、酸化カルシウムを含有することを特徴とする請求項４記載の付け爪である。
請求項７記載の発明は、前記第４層が、酸化鉄を含有することを特徴とする請求項４記載の付け爪である。
【００１１】
請求項８記載の発明は、前記第３層と前記第４層の境界に酸化カルシウムが配されることを特徴とする請求項４記載の付け爪である。
請求項９記載の発明は、前記粘着剤層に凹部が形成され、該凹部の壁面に前記酸化カルシウムが現れることを特徴とする請求項８記載の付け爪である。
【００１２】
請求項１０記載の発明は、前記付け爪本体が金属からなることを特徴とする請求項９記載の付け爪である。
請求項１１記載の発明は、前記付け爪本体が、透明又は半透明の樹脂から形成され、前記第１面の反対側の第２面上に装飾層が設けられ、該装飾層が、少なくとも前記凹部上に配されるとともに該凹部を隠すことを特徴とする請求項９記載の付け爪である。
【００１３】
請求項１２記載の発明は、前記第２層が、前記第１層よりも厚く形成されることを特徴とする請求項２記載の付け爪である。
請求項１３記載の発明は、前記第１面のうち、少なくとも該第１面幅方向中心位置に、人体の指軸方向に延設する少なくとも１つの突条部が形成されることを特徴とする請求項１２記載の付け爪である。
請求項１４記載の発明は、前記第１面のうち、少なくとも人体の指軸方向中心位置に、前記付け爪本体幅方向に延設する少なくとも１つの突条部が形成されることを特徴とする請求項１２記載の付け爪である。
【００１４】
請求項１５記載の発明は、前記粘着剤層に香料が含有されることを特徴とする請求項１記載の付け爪である。
請求項１６記載の発明は、前記付け爪本体の前記第１面のうち少なくとも一部を被覆する塗装層を更に備え、該塗装層に香料が含有されることを特徴とする請求項１記載の付け爪である。
請求項１７記載の発明は、前記付け爪本体の前記第１面の反対側の第２面のうち少なくとも一部を被覆する塗装層を更に備え、該塗装層に香料が含有されることを特徴とする請求項１記載の付け爪である。
請求項１８記載の発明は、前記装飾層が香料を含有することを特徴とする請求項１１記載の付け爪である。
【発明の効果】
【００１５】
請求項１記載の発明によれば、指先に装着する付け爪の粘着剤層に遠赤外線を放射する無機粉末が含有されるので、指先の毛細血管が遠赤外線により刺激され、毛細血管が拡張し、指先の血流が促進される。結果として、指先の冷え性が改善される。更には、付け爪本体に装飾を施すことにより、高いファッション性を発揮可能となる。
【００１６】
請求項２記載の発明によれば、粘着剤層が２層構造であり、遠赤外線を放射する無機粉末が人体の爪に直接接触しない第２層に配されるので、遠赤外線を放射する無機粉末が付け爪の取付けやすさに与える悪影響を最小限化できる。
請求項３記載の発明によれば、第２層が体温により温度上昇することにより、その粘着力が増すので、装着時に付け爪が剥がれにくくなる。
請求項４記載の発明によれば、付け爪が商品として展示される際には、付け爪外面に現れる第４層のタック力が低く、埃が第４層に付着しにくく、付け爪の装着性が劣化しない。
請求項５記載の発明によれば、一層高い赤外線放射作用を得ることができ、高い血流促進効果を得ることができる。
【００１７】
請求項６及び７記載の発明によれば、粘着性回復のための復活剤を塗布した際に、復活剤中の水成分と酸化カルシウムが反応し、熱を発するので、第４層のタック力増加速度を高めることが可能となる。
請求項８及び９記載の発明によれば、水成分と酸化カルシウムの反応により生ずる水酸化カルシウムのアルカリ性の影響を人体の爪が直接受けることを防止できる。
請求項１０及び１１記載の発明によれば、粘着剤層に形成される凹部が視認されることを防止でき、凹部によるファッション性の低下を防ぐことができる。
【００１８】
請求項１２記載の発明によれば、付け爪装着時に加えられる圧力により、第２層が確実に人体の爪に接触することになり、付け爪が人体の爪から剥がれにくくなる。
請求項１３記載の発明によれば、付け爪装着時に人体の爪幅方向への付け爪のずれを防止することができる。
請求項１４記載の発明によれば、付け爪装着時に人体の爪長さ方向への付け爪のずれを防止することができる。
請求項１５乃至１８記載の発明によれば、粘着剤層から発せられる有機溶剤の匂いを緩和することが可能となる。
【発明を実施するための最良の形態】
【００１９】
以下、本発明に係る付け爪の実施形態について、図を参照しつつ説明する。
図１は、本発明の付け爪の概略図であり、図１（ａ）は、付け爪の平面図であり、図１（ｂ）は付け爪の断面図である。
付け爪（１）は、付け爪本体（２）を備える。付け爪本体（２）は、湾曲した薄板形状をなし、例えば、金属や樹脂から構成される。付け爪本体（２）を構成する金属としては、プラチナ、金、銀、パラジウム、ロジウム、ルテニウム、イリジウムやオスミウムなどを例示できる。樹脂としては、例えば、ＡＢＳ樹脂（アクリルニトリル(Acrylonitrile)、ブタジエン（Butadiene）、スチレン(Styrene)共重合合成樹脂）を好適に使用可能である。
【００２０】
本明細書において、付け爪本体（２）の下面、即ち、人体の爪に対向する面を第１面（２１）と称し、付け爪本体（２）の上面、即ち、人体の爪に付け爪（１）を装着した際に外面に現れる面を第２面（２２）と称する。
第１面（２１）上には、粘着剤層（３）が配され、第２面（２２）上には、装飾層（４）が配される。
【００２１】
装飾層は、通常のネイルアートに利用される塗料や、エメラルド、ルビー、サファイア、アメジスト、オパール、トパーズ、ペリドット、アクアマリン、シトリン、アメトリン、ガーネット、ツァボライト、デマントイド、マンダリンガーネット、トルマリン、ルベライトトルマリン、グリーントルマリン、パライバトルマリン、イエロートルマリン、ブルートルマリン、マルチカラートルマリン、タンザナイト、ラピスラズリー、サファイア、クォーツ、ヒスイ、ジルコン、アイオライト、スピネル、ファイヤーオパール、ムーンストン、アレキサンドライト、クリソベリル、クンツァイト、ベリル、モルガナイト、クロムダイオプサイド、アンダルサイト、琥珀、トルコ石、サンゴ、アゲート、オニックス、ブラッドストーン、ジャスパー、パール、ダイヤモンドなどといった宝石類やその他装飾材から構成され、所望のデザインが模られている。
【００２２】
図２は、人体の爪に付け爪（１）を装着したときの付け爪（１）の長手方向断面図である。
付け爪（１）が人体の爪（Ｎ）上に装着されると、粘着剤層（３）は、爪（Ｎ）と第１面（２１）の間に存することとなる。粘着剤層（３）は、付け爪本体（２）を爪（Ｎ）上に粘着させる。
粘着剤層（３）中には、遠赤外線を放射する無機粉末（３１）が含有される。無機粉末（３１）は、遠赤外線を放射し、この遠赤外線は体内（指内部）に侵入し、指先の毛細血管を刺激する。この結果、指先の毛細血管が拡張され、指先先端への血流が増大することとなる。
無機粉末（３１）からの遠赤外線放射量は、無機粉末（３１）の温度の増大に伴い増加するので、血流が増加し、これに起因して指先の温度が増加すると、放射される遠赤外線の量も増加する。結果として、無機粉末（３１）により、最大量の血流を得ることが可能となる。
無機粉末（３１）としては、白炭、貝殻焼成カルシウム、トルマリンの粉末を好適に使用可能である。特に、カシ、ナラ、クリなどのブナ科の木材を原材料とする白炭やタケを原材料とする白炭が好ましく、このうちウバメガシやアラカシを原材料とする白炭が特に好ましく使用可能である。
或いは、無機粉末（３１）として、Al2O3、SiO2、MgO、ZrO2、3Al2O3・2SiO2、ZrO2・SiO2、2MgO・2Al2O3・5SiO2などといった金属酸化物や、アルミニウム、珪素、マグネシウム、チタンなどの各種金属元素と酸素、窒素、炭素、硼素との無機化合物及びこれらの複合化合物を粉末化したものを利用することも可能である。
【００２３】
図３は、付け爪（１）の他の実施形態を示す。
図３に示す付け爪（１）は、図１及び図２に関連して説明した付け爪（１）と粘着剤層（３）の構成が異なるが、他の構成は同様である。
図３に示す付け爪（１）の粘着剤層（３）は、人体の爪（Ｎ）に直接接触する第１層（３２）と、第１層（３２）と付け爪本体（２）の第１面（２１）の間に配される第２層（３３）からなる。また、第２層（３３）中に、無機粉末（３１）が含有される。
図１及び図２に示す例においては、無機粉末（３１）は粘着剤層（３）中において略均一に分散する形態であったが、図３に示す付け爪（１）においては、粘着剤層（３）のうち第２層（３３）に限定的に分散する。この結果、無機粉末（３１）が、粘着剤層（３）の爪（Ｎ）へのくっつきやすさに悪影響を与えることを防止できる。即ち、無機粉末（３１）が、粘着剤層（３）のタック力の低減を生じさせることを防止可能となる。
【００２４】
粘着剤層（３）の第１層（３２）を構成する粘着剤のガラス転移温度は、室温（２５℃）よりも十分に低い温度であることが好ましい。これにより、粘着剤層（３）の第１層（３２）は、室温（２５℃）以上体温（３７℃）以下の温度範囲で、爪（Ｎ）への粘着に必要とされる流動性・粘弾性となり、爪（Ｎ）に付け爪（１）を軽く押し当てるだけで、付け爪（１）は爪（Ｎ）上に粘着されることとなる。尚、第１層（３２）のタック力は、室温（２５℃）以上体温（３７℃）以下の温度範囲において、付け爪（１）の爪（Ｎ）上への粘着・固定に十分なタック力を発揮するとともに、このタック力が当該温度範囲で一定であることが好ましい。
【００２５】
第２層（３３）を構成する粘着剤は、第１層（３２）を構成する粘着剤と同種類の粘着剤であってもよいが、異なる性質を備える粘着剤であってもよい。例えば、第２層（３３）を構成する粘着剤に、ガラス転移温度が室温付近（２４℃以上２６℃以下の温度範囲）であって、体温付近（３４℃以上３７℃以下の温度範囲）において十分な粘着性を発揮する性質を有する感熱性粘着剤を用いてもよい。
このような粘着剤を第２層（３３）に用いた場合、付け爪（１）を爪（Ｎ）に装着しようとするときには、第２層（３３）は流動性をほとんど有さない。この結果、付け爪（１）装着の際に付け爪（１）に負荷される押圧力に付随して生ずる爪（Ｎ）幅方向或いは長手方向へのせん断力を第２層（３３）が受けても、第２層（３３）にはせん断歪みがほとんど生じず、付け爪（１）の横ずれを防止できる。
【００２６】
第１層（３２）の層厚寸法は、第２層（３３）の層厚寸法よりも小さくされることが好ましい。これにより、第１層（３２）が爪（Ｎ）幅方向或いは長手方向へのせん断力を受けたときにせん断歪みを生じても、その歪み量を最小限に抑えることができる。
第１層（３２）が薄く形成されることで、第２層（３３）には人体の爪（Ｎ）から体温がすぐに伝導されることとなる。この結果、第２層（３３）はすぐに昇温し、爪（Ｎ）への粘着に十分な流動性を発揮する。この結果、第２層（３３）は人体の体温に近づくにつれて高い粘着力を発揮し、付け爪（１）の爪（Ｎ）からの剥がれを防止する作用をもたらす。
更には、付け爪（１）を爪（Ｎ）に装着する際に付け爪（１）に加わる押圧力により、第１層（３３）を構成する粘着剤は、押圧力が集中する点を中心に、付け爪（１）縁方向に向けて流動する。この結果、第２層（３３）の一部は直接的に人体の爪（Ｎ）に接触し、高い粘着力を以って、爪（Ｎ）に粘着することが可能となる。
【００２７】
図４は、図３に示す付け爪（１）の応用形態を示す。図４は、付け爪（１）の幅方向断面図である。
図４に示す付け爪（１）は、付け爪本体（２）の第１面（２１）上に突条部（２３）を備える点で、図３に示す付け爪（１）と相違する。図４に示す例において、突条部（２３）は複数示されているが、突条部（２３）は単数であってもよい。
突条部（２３）は、第１面（２１）から下方に向けて突出するとともに、付け爪（１）長手方向に延設する。突条部（２３）は、図４に示す例においては、Ｔ字形状をなす。これにより、突条部（２３）は、粘着剤層（３）の第２層（３３）に噛み込むこととなる。この結果、付け爪本体（２）の第１面（２１）から粘着剤層（３）が剥離することを防止できる。更には、付け爪（１）装着時に付け爪（１）に負荷される押圧力に付随して生ずる第２層（３３）への付け爪（１）幅方向のせん断力に対して、第２層（３３）がせん断歪み変形することを好適に防止可能となる。これにより、付け爪（１）装着時の横ずれを防止可能となる。
尚、図４に示す例においては、突条部（２３）は付け爪（１）長手方向に延設するが、付け爪（１）幅方向に延設する形態を採用してもよい。突条部（２３）を付け爪（１）幅方向に延設させることにより、付け爪（１）の長手方向位置のずれを好適に防止可能となる。更には、突条部（２３）を、付け爪（１）の第１面（２１）上において、縦横に延設してもよい。この形態によれば、付け爪（１）の長手方向位置及び横位置のずれを同時に防止可能となる。
尚、図４に示す例においては、突条部（２３）断面をＴ字形状としたが、他の断面形状のものも本発明に好適に使用可能である。
【００２８】
図５は、付け爪（１）の他の実施形態を示す。
図５に示す付け爪（１）は、図３に示す付け爪（１）と同様に、粘着剤層（３）が複数の層を備える。図５に示す例においては、粘着剤層（３）を構成する層のうち、人体の爪（Ｎ）に直接的に接触する層を第３層（３４）と称し、付け爪本体（２）の第１面（２１）と第３層（３４）との間に配される層を第４層（３５）と称する。
第３層（３４）は、図３に示す形態に関連して説明した第２層（３３）と同様の粘着剤から構成される。第４層（３５）は、図３に示す形態に関連して説明した第１層（３２）又は第２層（３３）と同様の粘着剤層から構成される。
図５に示す例において、無機粉末（３１）は、第４層（３５）に含有されるが、第３層（３４）に含有されてもよく、或いは、両方の層（３４，３５）に含有されてもよい。
【００２９】
第３層（３４）には、酸化カルシウム（３６）が含有される。爪（Ｎ）に粘着層（３）の粘着性を回復するための復活剤を塗布した後、付け爪（１）を爪（Ｎ）に装着した際に、第３層（３４）に含有される酸化カルシウム（３６）は復活剤の水成分と反応し、熱を発する。これにより、第３層（３４）の温度は上昇し、第３層（３４）は即時に粘着剤としての機能を発揮しうる状態となる。
【００３０】
一方、付け爪（１）が商品として、店内に展示されているときや、或いは、店内に搬送する際には、酸化カルシウム（３６）の発熱反応を生じないため、第３層（３４）は、粘着剤として機能する程度の流動性を有さない。したがって、第３層（３４）に埃が付着することはない。結果として、付け爪（１）が使用者の手元に届くまでの間に、付け爪（１）の装着性が劣化することを防止できる。更には、付け爪（１）を搬送する際や展示する際に、付け爪（１）を重ね合せることができる。
従来、付け爪（１）に用いられる粘着剤は、室温においても粘着性を発揮するため、付け爪（１）同士を重ね合せると、付け爪本体（２）の第２面（２２）に施された装飾層（４）の装飾を粘着剤層（３）が損傷させるものとなる。したがって、付け爪（１）の展示・搬送の際には、付け爪（１）を重ね合せることはできず、或いは、重ね合せるために、粘着剤層（３）表面に剥離シートを貼着するなど煩雑な作業を要するものである。本実施形態は、これらの問題を全て解消可能である。
【００３１】
酸化カルシウム（３６）が、第３層（３４）と第４層（３５）の境界に配される形態を採用してもよい。この形態によれば、酸化カルシウム（３６）と水成分との反応により生じたアルカリ性の水酸化カルシウムにより爪（Ｎ）が損傷することを、第３層（３４）が防ぐ機能を果たす。
【００３２】
図６は、図５に示す付け爪（１）の応用形態を示す。
図６に示す付け爪（１）は、粘着剤層（３）に凹部（３７）が形成される点で、図５に示す付け爪（１）と相違するが、他の構成は同様である。
凹部（３７）の壁面周囲に酸化カルシウム（３６）が配される。水成分が凹部（３７）内に入ると、水成分は酸化カルシウム（３６）と反応し、接着剤層（３）が加熱される。凹部（３７）壁面周囲に酸化カルシウム（３６）が配されるように付け爪（１）を構成することにより、水成分と酸化カルシウム（３６）の反応により生じた水酸化カルシウムが直接的に爪（Ｎ）に接触することを防止できる。これにより、爪（Ｎ）が損傷することを防止可能となる。
尚、この形態において、付け爪本体（２）が透明又は半透明の樹脂からなる場合には、付け爪本体（２）の第２面（２２）上の装飾層（４）は、凹部（３７）上方を覆い、外面から凹部（３７）を視認不可能とすることが好ましい。
【００３３】
上記において、酸化カルシウム（３６）を用いて発熱作用を得る例を示したが、酸化鉄を酸化カルシウム（３６）の代わりに用いてもよい。これによっても、同様の発熱作用を得ることができる。更には、アルカリ性反応物を生ずることがなく、人体の爪が損傷する危険性を低減可能である。
【００３４】
本発明に対して、更に、様々な変更形態を採用可能である。例えば、粘着剤層（３）に香料成分を含有させてもよいし、或いは、付け爪本体（２）の第１面（２１）又は第２面（２２）に対して香料を含有する樹脂溶液を塗布して、この樹脂溶液を固化させて塗装層を形成してもよい。或いは、装飾層（４）に香料を含ませてもよい。このように、付け爪（１）が香料を含むものとなれば、粘着剤層（３）を構成する多くの粘着剤が有する有機溶剤から発せられる匂いを緩和させることが可能となる。
【産業上の利用可能性】
【００３５】
本発明は、付け爪に利用可能である。
【図面の簡単な説明】
【００３６】
【図１】本発明に係る付け爪を示す図である。
【図２】図１の付け爪を装着した態様を示す図である。
【図３】本発明に係る付け爪の他の形態を示す図である。
【図４】図３に示す付け爪の応用形態を示す図である。
【図５】本発明に係る付け爪の他の形態を示す図である。
【図６】図５に示す付け爪の応用形態を示す図である。
【符号の説明】
【００３７】
１・・・・・付け爪
２・・・・・付け爪本体
２１・・・・第１面
２２・・・・第２面
３・・・・・粘着剤層
３１・・・・無機粉末
３２・・・・第１層
３３・・・・第２層
３４・・・・第３層
３５・・・・第４層
３６・・・・酸化カルシウム
４・・・・・装飾層
【図１】
2008272380.tif 000003
【図２】
2008272380.tif 000004
【図３】
2008272380.tif 000005
【図４】
2008272380.tif 000006
【図５】
2008272380.tif 000007
【図６】
2008272380.tif 000008